(57)【要約】【課題】包装体を開封する際に起点となる部位を視認し易くし、包装体の開封を容易に行うことができると共に、収容部内への物品の再収容を容易に行うことができる包装材および該包装材を用いて物品が包装されてなる包装体を提供することを課題とする。【解決手段】一方の第一閉塞部と収容部に収容される物品との間に、他方の第一閉塞部および一対の第二閉塞部が位置するように、一対の第一閉塞部および一対の第二閉塞部が折り込まれて収容部の開口部を閉塞する閉塞壁が形成されると共に、一方の第一閉塞部における延出方向の先端部が該閉塞壁から延出して延出片を形成するように構成されることを特徴とする。【選択図】図４
2014133571.tif 000002
【特許請求の範囲】
【請求項１】
シート材が袋状に形成されてなり、物品を収容する収容空間と該収容空間に連通する開口部とを備える収容部と、該収容部の開口部を閉塞する閉塞部とを備え、収容部は、収容空間に物品が収容されることで、開口部が四角形状となるように構成されており、閉塞部は、収容部における四角形状となる開口部の各辺のうち、一の対向する二辺から延出する一対の第一閉塞部と、他の対向する二辺から延出する一対の第二閉塞部とを備え、一方の第一閉塞部における延出方向の長さは、収容部の開口部における他の対向する二辺の長さよりも長くなるように形成されており、
一方の第一閉塞部と収容部に収容される物品との間に、他方の第一閉塞部および一対の第二閉塞部が位置するように、一対の第一閉塞部および一対の第二閉塞部が折り込まれて収容部の開口部を閉塞する閉塞壁が形成されると共に、一方の第一閉塞部における延出方向の先端部が該閉塞壁から延出して延出片を形成するように構成されることを特徴とする包装材。
【請求項２】
前記一方の第一閉塞部は、前記閉塞壁が形成された状態で、収容部の開口部を覆うように形成されることを特徴とする請求項１に記載の包装材。
【請求項３】
前記一対の第二閉塞部は、折り込まれた状態で、互いに重なり合わないように形成されることを特徴とする請求項１又は２に記載の包装材。
【請求項４】
前記他方の第一閉塞部は、前記閉塞壁が形成された状態で、前記収容部内の物品と前記一対の第二閉塞部との間に配置されると共に、収容部における開口部の内側の領域を覆うように形成されることを特徴とする請求項１乃至３の何れか一項に記載の包装材。
【請求項５】
請求項１乃至４の何れか一項に記載の包装材を用いて物品が包装されてなる包装体であって、
一方の第一閉塞部の先端部が閉塞壁から延出して形成される延出片を備え、一方の第一閉塞部と収容部の開口部との連結位置を軸に、延出片が収容部から離間されることで、開封可能に構成されることを特徴とする包装体。
【請求項６】
前記延出片は、収容部の外面に貼り付けられており、該延出片が収容部から剥離されると共に、一方の第一閉塞部と収容部の開口部との連結位置を軸に、延出片が収容部から離間されることで、開封可能に構成されることを特徴とする請求項５に記載の包装体。
【発明の詳細な説明】
【技術分野】
【０００１】
本発明は、シート材を用いて袋状に形成された包装材および該包装材を用いて物品が包装されてなる包装体に関する。特に、物品を収容する収容部と、該収容部が備える開口部を閉塞する閉塞部とを備えるものに関する。
【背景技術】
【０００２】
物品を包装する包装材としては、シート材を用いて袋状に形成された包装材が用いられている。該包装材は、例えば、特許文献１に示すように、食品を収容する収容空間と該収容空間に連通する開口部とを備える収容部と、該収容部の開口部を閉塞する閉塞部とを備えたものが提案されている。そして、収容部は、収容空間に食品が収容されることで、開口部が四角形状となるように構成されている。また、閉塞部は、収容部における四角形状となる開口部の各辺のうち、一の対向する二辺から延出する一対の第一閉塞部と、他の対向する二辺から延出する一対の第二閉塞部とを備えている。
【０００３】
斯かる包装材は、収容部に食品を収容した状態で、一対の第一閉塞部の一方が収容部の開口部側へ折り込まれ、更に、一対の第二閉塞部が収容部の開口部側へ折り込まれ、最後に、一対の第一閉塞部の他方が収容部の開口部側へ折り込まれることで、収容部の開口部を閉塞する閉塞壁が形成されるように構成されている。そして、製品情報等を印字したラベルや粘着テープが該閉塞壁に貼り付けられることで、収容部の開口部が閉塞された状態（商品が包装された状態）が保持されている。
【先行技術文献】
【特許文献】
【０００４】
【特許文献１】特開２００２−１７９１７３号公報
【発明の概要】
【発明が解決しようとする課題】
【０００５】
上記のような包装体を開封する際には、閉塞壁に貼り付けた粘着テープを剥がして、収容部の開口部が閉塞壁によって閉塞された状態を解くか、収容部に形成された切り込みを切っ掛けに収容部を切断して開封する必要がある。しかしながら、上記のような包装体は、一般的に閉塞壁を下方にして陳列棚等に載置されるため、粘着テープを視認することが困難となっている。更に、粘着テープを剥がす必要があるため、容易に開封することができない。また、収容部を切断する場合には、収容部に再度食品を収容して簡易的に保管したり、再度食品を包装したりすることが困難となる。
【０００６】
そこで、本発明は、包装体を開封する際に起点となる部位を視認し易くし、包装体の開封を容易に行うことができると共に、収容部内への物品の再収容を容易に行うことができる包装材および該包装材を用いて物品が包装されてなる包装体を提供することを課題とする。
【課題を解決するための手段】
【０００７】
本発明に係る包装材は、シート材が袋状に形成されてなり、物品を収容する収容空間と該収容空間に連通する開口部とを備える収容部と、該収容部の開口部を閉塞する閉塞部とを備え、収容部は、収容空間に物品が収容されることで、開口部が四角形状となるように構成されており、閉塞部は、収容部における四角形状となる開口部の各辺のうち、一の対向する二辺から延出する一対の第一閉塞部と、他の対向する二辺から延出する一対の第二閉塞部とを備え、一方の第一閉塞部における延出方向の長さは、収容部の開口部における他の対向する二辺の長さよりも長くなるように形成されており、一方の第一閉塞部と収容部に収容される物品との間に、他方の第一閉塞部および一対の第二閉塞部が位置するように、一対の第一閉塞部および一対の第二閉塞部が折り込まれて収容部の開口部を閉塞する閉塞壁が形成されると共に、一方の第一閉塞部における延出方向の先端部が該閉塞壁から延出して延出片を形成するように構成されることを特徴とする。
【０００８】
斯かる構成によれば、上記の包袋材を用いて物品が包装されてなる包装体では、一方の第一閉塞部と収容部の開口部との連結位置を軸に、延出片が収容部から離間されることで、一対の第一閉塞部および一対の第二閉塞部が折り込まれた状態（収容部の開口部が閉塞壁によって閉塞された状態）が解かれることになる。これにより、収容部の開口部が開放して物品を収容部から容易に取り出すことができる。
【０００９】
また、包装体の開封に伴って収容部が切断されることがないため、収容部内に物品を再び収容して、簡易的に物品を保管したり、再度閉塞壁を形成して物品を再包装したりすることができる。
【００１０】
更に、包装体が閉塞壁を下方にして陳列棚等に載置された場合にも、閉塞壁から延出片が延出した状態となるため、包装体を開封する際に起点となる延出片を容易に視認することができる。このため、包装体の開封を容易に行うことができる。
【００１１】
また、前記一方の第一閉塞部は、前記閉塞壁が形成された状態で、収容部の開口部を覆うように形成されることが好ましい。
【００１２】
斯かる構成によれば、閉塞壁が形成された状態で、他方の第一閉塞部および一対の第二閉塞部が一方の第一閉塞部に覆われた状態となるため、一対の第一閉塞部および一対の第二閉塞部が重なり合うことで形成される段差が包装体の表面に露出することがない。これにより、斯かる段差に他の部材（例えば、陳列棚等）が引っかかり、閉塞壁によって収容部の開口部が閉塞された状態が意図せずに解かれるのを防止することができる。
【００１３】
更に、斯かる段差が包装体の表面に露出しないため、包装体の閉塞壁を下方にして陳列棚等に載置した状態でも、包装体をスムーズに移動させることができる。
【００１４】
加えて、一対の第一閉塞部および一対の第二閉塞部が重なり合うことで各閉塞部間に形成される隙間が包装体の表面に露出しないため、斯かる隙間から収容部内に異物が侵入するのを防止することができる。
【００１５】
また、前記一対の第二閉塞部は、折り込まれた状態で、互いに重なり合わないように形成されることが好ましい。
【００１６】
斯かる構成によれば、一対の第二閉塞部同士の重なりが生じないため、包装体の閉塞壁が部分的に厚くなるのを防止することができる。これにより、閉塞壁がより平坦な状態となるため、閉塞壁を下方にして陳列棚等に載置した際の安定性を向上させることができると共に、包装体の移動をよりスムーズに行うことができる。
【００１７】
また、前記他方の第一閉塞部は、前記閉塞壁が形成された状態で、前記収容部内の物品と前記一対の第二閉塞部との間に配置されると共に、収容部における開口部の内側の領域を覆うように形成されることが好ましい。
【００１８】
斯かる構成によれば、閉塞壁が形成された状態で、収容部の開口部の内側の領域が他方の第一閉塞部によって覆われるため、収容部内の物品の一部が一方の第一閉塞部と一対の第二閉塞部との間の隙間に入り込むのを防止することができ、物品の損傷を防止することができる。
【００１９】
本発明に係る包装体は、上記何れかの包装材を用いて物品が包装されてなる包装体であって、一方の第一閉塞部の先端部が閉塞壁から延出して形成される延出片を備え、一方の第一閉塞部と収容部の開口部との連結位置を軸に、延出片が収容部から離間されることで、開封可能に構成されることを特徴とする。
【００２０】
斯かる構成によれば、一方の第一閉塞部と収容部の開口部との連結位置を軸に、延出片が収容部から離間されることで、一対の第一閉塞部および一対の第二閉塞部が折り込まれた状態（収容部の開口部が閉塞された状態）が解かれることになる。これにより、収容部の開口部が開放して物品を容易に取り出すことができる。
【００２１】
また、包装体の開封に伴って、収容部が切断されることがないため、収容部内に物品を再び収容して、簡易的に物品を保管したり、再度閉塞壁を形成して物品を再包装したりすることができる。
【００２２】
更に、包装体が閉塞壁を下方にして陳列棚等に載置された場合にも、閉塞壁から延出片が延出した状態となるため、包装体を開封する際に起点となる延出片を容易に視認することができる。これにより、包装体の開封を容易に行うことができる。
【００２３】
また、前記延出片は、収容部の外面に貼り付けられており、該延出片が収容部から剥離されると共に、一方の第一閉塞部と収容部の開口部との連結位置を軸に、延出片が収容部から離間されることで、開封可能に構成されることが好ましい。
【００２４】
斯かる構成によれば、延出片が収容部の外面に貼り付けられることで、包装体を複数陳列する際などに、一の包装体の延出片が他の包装体の下に入り込んで視認し難くなるのを防止することができる。これにより、開封の起点となる延出片をより容易に視認することができる。
【発明の効果】
【００２５】
以上のように、本発明によれば、包装体を開封する際に起点となる部位を視認し易くし、包装体の開封を容易に行うことができると共に、収容部内への物品の再収容を容易に行うことができる。
【図面の簡単な説明】
【００２６】
【図１】本実施形態に係る包装材の斜視図。
【図２】（ａ）は、本実施形態に係る包装材に物品を収容する際の斜視図、（ｂ）は、本実施形態に係る包装材における他方の第一閉塞部が折り込まれる状態を示した斜視図。
【図３】（ａ）は、本実施形態に係る包装材における一対の第二閉塞部が折り込まれると共に、一方の第一閉塞部が折り込まれる状態を示した斜視図、（ｂ）は、本実施形態に係る包装材における一対の第一閉塞部および一対の第二閉塞部によって閉塞壁が形成された状態を示した斜視図。
【図４】本実施形態に係る包装材を用いて形成された包装体の斜視図。
【図５】（ａ）は、他の実施形態に係る包装体を示した斜視図、（ｂ）は、更に他の実施形態に係る包装体を示した斜視図。
【発明を実施するための形態】
【００２７】
以下、本発明の実施形態について図１〜４を参照しながら説明する。なお、以下の図面において同一または相当する部分には同一の参照符号を付しその説明は繰り返さない。
【００２８】
本実施形態に係る包装材１は、図１に示すように、シート材が袋状に形成されてなるものである。シート材としては、包装される物品Ｍの形状に沿って変形可能なものが用いられる。例えば、シート材としては、無色透明な樹脂フィルム、紙材、又は、布材等を用いることができる。
【００２９】
また、包装材１は、２枚のシート材Ｓ１，Ｓ２が重ね合わされて形成される。そして、包装材１は、２枚のシート材Ｓ１，Ｓ２が熱溶着（ヒートシール）されることで形成されるシール部ＳＬを外周部に備える。本実施形態では、包装材１は、物品Ｍが収容される前の平面的な状態において、外周形状が略台形状となるように構成されており、拡開する側の端部を除く、三辺にシール部ＳＬが形成されることで袋状に形成される。そして、包装材１は、シール部ＳＬが形成されていない側（以下、開放側とも記す）から２枚のシート材Ｓ１，Ｓ２の間に物品Ｍを挿入することで、物品Ｍを収容可能に構成される。
【００３０】
なお、以下の説明では、包装材１によって物品Ｍが包装されて包装体が形成された状態で、包装体における消費者と対峙する側を前側とし、該前側に対向する側を後側とする。このため、本実施形態では、包装体の前側の領域がシート材Ｓ１（以下、前側シートＳ１とも記す）によって形成され、包装体の後側の領域がシート材Ｓ２（以下、後側シートＳ２とも記す）によって形成される。
【００３１】
包装材１は、物品Ｍを収容する収容部２と、該収容部２を閉塞する閉塞部３とを備える。また、包装材１は、物品情報や図柄等を表示する表示部４を更に備える。該表示部４は、包装材１における開放側に対向する側（具体的には、包装体が載置された状態の上側）に設けられる。そして、包装材１は、収容部２に物品Ｍが収容されることで、物品Ｍの形状に沿って立体的に形成される。
【００３２】
収容部２は、包装材１における物品Ｍを収容可能な領域によって構成される。本実施形態では、前側シートＳ１と後側シートＳ２との間に形成される空間に物品Ｍが収容されることで、包装材１における物品Ｍに対応した領域が収容部２を構成する。そして、収容部２は、物品Ｍを収容する収容空間２ａと、該収容空間２ａに連通する開口部２ｂとを備える。該開口部２ｂは、収容部２に収容された物品Ｍと包装材１の開放側の端部との間に、仮想的に形成される。本実施形態では、開口部２ｂは、収容部２内の物品Ｍにおける包装材１の開放側の端部の外周近傍に仮想的に形成される。また、開口部２ｂは、収容空間２ａに物品Ｍが収容されることで、四角形状となるように構成される。
【００３３】
閉塞部３は、収容部２の開口部２ｂから延出するように形成される。つまり、閉塞部３は、包装材１における収容部２よりも開放側の領域によって形成される。本実施形態では、閉塞部３は、筒状の形状を有し、軸方向の一端部が収容部２の開口部２ｂと連結されると共に、軸方向の他端部（即ち、包装材１の開放側の端部）が開放するように構成される。また、閉塞部３は、収容部２における四角形状となる開口部２ｂの各辺のうち、一の対向する二辺から延出する一対の第一閉塞部３ａ，３ｂと、他の対向する二辺から延出する一対の第二閉塞部３ｃ，３ｄとを備える。
【００３４】
一対の第一閉塞部３ａ，３ｂは、四角形状に形成され、対向するように配置される。一対の第一閉塞部３ａ，３ｂのうち、一方の第一閉塞部３ａは、後側シートＳ２によって形成され、他方の第一閉塞部３ｂは、前側シートＳ１によって形成される。
【００３５】
一方の第一閉塞部３ａにおける延出方向の長さは、四角形状の開口部２ｂにおける他の対向する二辺の長さよりも長くなるように形成される。また、該一方の第一閉塞部３ａにおける延出方向に直交する幅方向の長さは、四角形状の開口部２ｂにおける一の対向する二辺の長さと略同一（好ましくは、同一）となるように形成される。
【００３６】
他方の第一閉塞部３ｂにおける延出方向の長さは、四角形状の開口部２ｂにおける他の対向する二辺の長さと略同一（好ましくは、同一）となるように形成される。また、該他方の第一閉塞部３ｂにおける延出方向に直交する幅方向の長さは、四角形状の開口部２ｂにおける一の対向する二辺の長さと略同一（好ましくは、同一）となるように形成される。
【００３７】
一対の第二閉塞部３ｃ，３ｄは、対向するように配置されて一対の第一閉塞部３ａ，３ｂと連結される。また、一対の第二閉塞部３ｃ，３ｄにおける延出方向の先端部は、一対の第一閉塞部３ａ，３ｂにおける延出方向の先端部よりも、収容部２側に位置する。また、一対の第二閉塞部３ｃ，３ｄは、延出方向の先端部（具体的には、該先端部の中央部）に凹状の切欠部３１ｃ，３１ｄを備える。該切欠部３１ｃ，３１ｄは、前側シートＳ１と後側シートＳ２とのシール部ＳＬと交差するように形成される。
【００３８】
次に、上記のように構成される包装材１を用いて、物品Ｍが包装される流れについて説明する。本実施形態では、包装される物品Ｍとしては、三角柱状のもの（サンドイッチや食パン等）を用いて説明する。
【００３９】
まず初めに、図２（ａ）に示すように、包装材１の開放側から前側シートＳ１と後側シートＳ２との間に物品Ｍが挿入され、収容部２内に物品Ｍが配置される。これにより、収容部２の開口部２ｂが四角形状に形成される。次に、図２（ｂ）に示すように、一対の第一閉塞部３ａ，３ｂのうち、他方の第一閉塞部３ｂが収容部２の開口部２ｂとの連結部分を軸に開口部２ｂ側に折り込まれる。これにより、開口部２ｂの内側の領域が他方の第一閉塞部３ｂによって全体的に覆われた状態となる。この際、一対の第二閉塞部３ｃ，３ｄの対向する側に、一対の第二閉塞部３ｃ，３ｄにおける他方の第一閉塞部３ｂとの連結部分の近傍の領域３２ｃ，３２ｄが折り込まれて他の領域と重なり合う。
【００４０】
次に、図３（ａ）に示すように、一対の第二閉塞部３ｃ，３ｄが収容部２の開口部２ｂとの連結部分を軸に開口部２ｂ側に折り込まれると共に、一方の第一閉塞部３ａが収容部２の開口部２ｂとの連結部分を軸に開口部２ｂ側に折り込まれる。この際、一対の第二閉塞部３ｃ，３ｄは、切欠部３１ｃ，３１ｄを備えることで、折り込まれた状態で重なり合うことがない。また、一対の第二閉塞部３ｃ，３ｄにおける一方の第一閉塞部３ａとの連結部分の近傍の領域３３ｃ，３３ｄが一対の第二閉塞部３ｃ，３ｄの他の領域と一方の第一閉塞部３ａとの間に折り込まれる。
【００４１】
これにより、図３（ｂ）に示すように、一対の第一閉塞部３ａ，３ｂと一対の第二閉塞部３ｃ，３ｄとが重なり合って収容部２の開口部２ｂを閉塞する閉塞壁５が形成され、物品Ｍが包装材１によって包装されてなる包装体１０が形成される。斯かる状態において、一方の第一閉塞部３ａは、収容部２の開口部２ｂを全体的に覆った状態となる。なお、閉塞壁５の形態を保持する方法としては、特に限定せれるものではなく、例えば、一方の第一閉塞部３ａと、他方の第一閉塞部３ｂおよび／又は一対の第二閉塞部３ｃ，３ｄとが剥離可能な弱シールによって貼合わされることで、閉塞壁５の形態が保持されるようにしてもよい。弱シールが設けられる位置としては、特に限定せれるものではない。
【００４２】
該閉塞壁５が形成された状態では、収容部２内の物品Ｍと一方の第一閉塞部３ａとの間に、他方の第一閉塞部３ｂおよび一対の第二閉塞部３ｃ，３ｄが折り込まれた状態となる。そして、該閉塞壁５では、一方の第一閉塞部３ａによって開口部２ｂの全体が覆われた状態となる。このため、他方の第一閉塞部３ｂと一対の第二閉塞部３ｃ，３ｄとが重なることで形成される段差（他方の第一閉塞部３ｂと一対の第二閉塞部３ｃ，３ｄとの間の段差）が一方の第一閉塞部３ａによって覆われる。
【００４３】
また、閉塞壁５が形成された状態で、一方の第一閉塞部３ａにおける延出方向の先端部が閉塞壁５から延出して延出片３１ａが形成される。該延出片３１ａは、包装体１０の前側に延出するように形成される。また、延出片３１ａは、延出方向に直交する幅方向の長さが収容部２の開口部２ｂにおける一の対向する二辺のうち、包装体１０における前側に位置する辺と略同一（好ましくは、同一）となるように形成される。
【００４４】
上記のように形成される包装体１０を開封する際には、収容部２と一方の第一閉塞部３ａとの連結位置を軸に、延出片３１ａを収容部２から離間させる。具体的には、延出片３１ａを指で摘み、収容部２から離間させることで、一方の第一閉塞部３ａおよび一対の第二閉塞部３ｃ，３ｄが折り込まれる前の状態に戻ることになる。そして、他方の第一閉塞部３ｂを折り込まれる前の状態に戻すことで、収容部２の開口部２ｂが閉塞された状態から開放される。これにより、包装体１０が開封され、収容部２内の物品Ｍが取り出し可能となる。
【００４５】
上記のように形成される包装体１０を陳列等する方法としては、特に限定されるものではないが、例えば、図４に示すように、閉塞壁５を下方にして陳列棚等に載置することができる。これにより、包装体１０と対峙する消費者側に延出片３１ａが位置するため、包装体１０を開封する起点となる延出片３１ａを消費者が視認しやすくなる。また、表示部４に加え延出片３１ａに物品情報や図柄等を表示することで、包装体１０の意匠性、情報性を向上させることが可能となる。
【００４６】
以上のように、本発明に係る包装体および包装体によれば、包装体を開封する際に起点となる部位を視認し易くし、包装体の開封を容易に行うことができると共に、収容部内への物品の再収容を容易に行うことができる。
【００４７】
即ち、包装材１を用いて包装体１０が形成されることで、一方の第一閉塞部３ａと収容部２の開口部２ｂとの連結位置を軸に、延出片３１ａが収容部２から離間されることで、一対の第一閉塞部３ａ，３ｂおよび一対の第二閉塞部３ｃ，３ｄが折り込まれた状態（収容部２の開口部２ｂが閉塞壁５によって閉塞された状態）が解かれることになる。これにより、収容部２の開口部２ｂが開放して物品Ｍを収容部２から容易に取り出すことができる。
【００４８】
また、包装体１０の開封に伴って収容部２が切断されることがないため、収容部２内に物品Ｍを再び収容して、簡易的に物品Ｍを保管したり、再度閉塞壁５を形成して物品Ｍを再包装したりすることができる。
【００４９】
更に、包装体１０が閉塞壁５側を下方にして陳列棚等に載置された場合にも、閉塞壁５から延出片３１ａが延出した状態となるため、包装体１０を開封する際に起点となる延出片３１ａを容易に視認することができる。このため、包装体１０の開封を容易に行うことができる。
【００５０】
また、閉塞壁５が形成された状態で、他方の第一閉塞部３ｂおよび一対の第二閉塞部３ｃ，３ｄが一方の第一閉塞部３ａに覆われた状態となるため、一対の第一閉塞部３ａ，３ｂおよび一対の第二閉塞部３ｃ，３ｄが重なり合うことで形成される段差が包装体１０の表面に露出することがない。これにより、斯かる段差に他の部材（例えば、陳列棚等）が引っかかり、閉塞壁５によって収容部２の開口部２ｂが閉塞された状態が意図せずに解かれるのを防止することができる。
【００５１】
更に、斯かる段差が包装体１０の表面に露出しないため、包装体１０の閉塞壁５を下方にして陳列棚等に載置した状態でも、包装体１０をスムーズに移動させることができる。
【００５２】
加えて、一対の第一閉塞部３ａ，３ｂおよび一対の第二閉塞部３ｃ，３ｄが重なり合うことで各閉塞部間に形成される隙間が包装体１０の表面に露出しないため、斯かる隙間から収容部２内に異物が侵入するのを防止することができる。
【００５３】
また、一対の第二閉塞部３ｃ，３ｄ同士の重なりが生じないため、包装体１０の閉塞壁５が部分的に厚くなるのを防止することができる。これにより、閉塞壁５がより平坦な状態となるため、閉塞壁５を下方にして陳列棚等に載置した際の安定性を向上させることができると共に、包装体１０の移動をよりスムーズに行うことができる。
【００５４】
また、閉塞壁５が形成された状態で、収容部２の開口部２ｂの内側の領域が他方の第一閉塞部３ｂによって覆われるため、収容部２内の物品Ｍの一部が一方の第一閉塞部３ａと一対の第二閉塞部３ｃ，３ｄとの間の隙間に入り込むのを防止することができ、物品Ｍの損傷を防止することができる。
【００５５】
なお、本発明に係る包装材および包装体は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００５６】
例えば、上記実施形態では、延出片３１ａが閉塞壁５から延出した状態で、包装体１０が陳列棚等に載置されるように構成されているが、これに限定されるものではなく、例えば、図５（ａ）に示すように、収容部２の開口部２ｂに沿って延出片３１ａが折り返されて収容部２の外面に延出片３１ａが貼り付けられるように構成されてもよい。
【００５７】
また、上記実施形態では、一方の第一閉塞部３ａが収容部２の開口部２ｂを全体的に覆うように構成されているが、これに限定されるものではなく、例えば、図５（ｂ）に示すように、一方の第一閉塞部３ａおよび一対の第二閉塞部３ｃ，３ｄを開口部２ｂ側へ折り込む際に、一方の第一閉塞部３ａにおける幅方向の両端部が収容部２側へ折り畳まれることで、一方の第一閉塞部３ａによって開口部２ｂが部分的に覆われた閉塞壁５’が形成されてもよい。
【００５８】
また、上記実施形態では、一方の第一閉塞部３ａと、他方の第一閉塞部３ｂおよび／又は一対の第二閉塞部３ｃ，３ｄとが弱シールされることで、閉塞壁５の形態が保持されるように構成されているが、これに限定されるものではなく、例えば、収容部２の外面と閉塞壁５の外面（一方の第一閉塞部３ａの収容部２側の面に対向する面）とが容易に破断可能な粘着テープを介して連結されることで、閉塞壁５の形態が保持されるようにしてもよい。
【００５９】
また、上記実施形態では、包装体１０が形成された状態で、収容部２内の物品Ｍと一対の第二閉塞部３ｃ，３ｄとの間に他方の第一閉塞部３ｂが位置するように構成されているが、これに限定されるものではなく、例えば、閉塞壁５を形成する際に、まず始めに、一対の第二閉塞部３ｃ，３ｄが開口部２ｂ側に折り込まれ、次に、他方の第一閉塞部３ｂが開口部２ｂ側に折り込まれ、その後、一方の第一閉塞部３ａが開口部２ｂ側に折り込まれることで、一対の第二閉塞部３ｃ，３ｄと一方の第一閉塞部３ａとの間に他方の第一閉塞部３ｂが位置するように構成されてもよい。
【００６０】
また、上記実施形態では、閉塞部３が筒状に形成されているが、これに限定されるものではなく、例えば、一対の第一閉塞部３ａ，３ｂと一対の第二閉塞部３ｃ，３ｄとが連結されることなく形成されてもよい。
【符号の説明】
【００６１】
１…包装材、２…収容部、２ａ…収容空間、２ｂ…開口部、３…閉塞部、３ａ，３ｂ…第一閉塞部、３ｃ，３ｄ…第二閉塞部、３１ａ…延出片、３１ｃ，３１ｄ…切欠部、４…表示部、５…閉塞壁、１０…包装体、Ｍ…物品、Ｓ１…前側シート、Ｓ２…後側シート、ＳＬ…シール部
【図１】
2014133571.tif 000003
【図２】
2014133571.tif 000004
【図３】
2014133571.tif 000005
【図４】
2014133571.tif 000006
【図５】
2014133571.tif 000007